(57)【要約】 【課題】未燃ガスや臭気の少ない快適な温風暖房装置を提供する。【解決手段】燃焼筒１１の上部に設けた整流穴１５を有した整流板１６の上部に、酸化触媒２０を有する触媒体１９を設け、前記酸化触媒２０を整流穴１５と同じ大きさで整流穴１５の真上の位置に設けたので、燃焼筒１１内を上昇して整流板１６の整流穴１５を通過した燃焼ガスはそのまま整流穴１５の上部に位置する触媒体１９の酸化触媒２０を通過するので、燃焼中及び消火動作時の臭気低減を図ることが出来き、また、酸化触媒２０は整流穴１５と同じ大きさなので、整流穴１５を通過して上昇してきた燃焼ガスは酸化触媒２０全体を均一に通過し、酸化触媒２０全体を活性温度域に保って良好な触媒作用を発揮することができるものである。【選択図】図１
2013002697.tif 000002
【特許請求の範囲】
【請求項１】
燃料を気化する気化筒と、この気化ガスと燃焼ファンによって供給される燃焼一次空気とを予混合し、形成した炎孔で燃焼させるバーナと、該バーナを囲んで設けられた燃焼筒とを有し、該燃焼筒の上部には整流穴を有した整流板を設けると共に、該整流板の上部に酸化触媒を有する触媒体を設けた温風暖房装置に於いて、前記酸化触媒は整流穴と同じ大きさで整流穴の真上の位置に設けたこと特徴とする温風暖房装置。
【請求項２】
前記整流板は整流穴を複数有すると共に、触媒体は前記各整流穴の真上の位置に各整流穴と同じ大きさの酸化触媒を設けたこと特徴とする請求項１記載の温風暖房装置。
【発明の詳細な説明】
【技術分野】
【０００１】
この発明は、燃焼ガスをそのまま室内に温風として放出し室内の暖房を行う温風暖房装置の臭気低減に関するものである。
【背景技術】
【０００２】
従来からこの種のものに於いては、図３に示すように電磁ポンプ１０１で圧送される燃料を気化ヒータ１０２で気化する気化筒１０３で気化した気化ガスと、燃焼ファン１０４によって供給される燃焼一次空気とを予混合し、炎孔を形成したバーナ１０５で燃焼させると共に、バーナ１０５とヒートバック部１０６とは本体１０７内を区画する上仕切板１０８と下仕切板１０９と側面板（図示せず）とで構成された送風ボックス１１０内に突出して設けられている。
【０００３】
また下仕切板１０９上のバーナ１０５を囲んで設けられた燃焼筒１１１は、前面中央に燃焼確認窓１１２，背面下部に燃焼二次空気取り入れ口１１３を有していると共に、燃焼筒１１１上端の係止爪１１４を介して大小複数の整流穴１１５を有した整流板１１６が固定されている。
【０００４】
そして、この整流板１１６周縁上部の取付片１１７によって整流板１１６と間隙１１８を有した状態で前方に傾斜して触媒体１１９が取り付けられており、この触媒体１１９に燃焼ガスが通過することでこの燃焼ガス中の一酸化炭素や炭化水素類を酸化させ窒素酸化物を低減すると共に、燃焼ガス中の臭い成分も同じように除去して臭気を低減するものである。
【０００５】
そして燃焼を開始すると、燃焼中にバーナ１０５の燃焼で発生した火炎は、対流ファン１２０からの送風の一部を燃焼二次空気取り入れ口１１３から流入させた燃焼二次空気によって完全燃焼するが、この燃焼により発生した燃焼排ガスは、燃焼筒１１１内を上昇して整流板１１６を通過し触媒体１１９にて未燃ガスと臭気が除去され、温風吹出口１２１より室内に吹き出されるものであった。（例えば、特許文献１参照。）
【先行技術文献】
【特許文献】
【０００６】
【特許文献１】特開２０００−９７４９５号公報
【発明の概要】
【発明が解決しようとする課題】
【０００７】
ところでこの従来のものでは、燃焼ガス中の窒素酸化物を抑えたり、温風温度を均一にしたり、炎が局所的に燃焼筒１１１から噴き出さないようにするために、燃焼筒１１１上端に整流穴１１５を有した整流板１１６を固定しているが、触媒体１１９で整流穴１１５の真上の部分は燃焼ガスが常時通過するので高温になり、触媒体１１９で整流穴１１５の真上以外の部分は真上の部分に比べて燃焼ガスが通過しないので真上の部分よりも温度が低くなっていた。
【０００８】
そのため、触媒体１１９が均一の高温状態にならず、そのため燃焼ガス中の一酸化炭素や炭化水素類を酸化させ窒素酸化物を低減させたり、燃焼ガス中の臭い成分を除去して臭気を低減することが触媒体１１９全体で安定して行うことができないという問題があった。
【課題を解決するための手段】
【０００９】
この発明はこの点に着目し上記課題を解決する為、特にその構成を請求項１では、燃料を気化する気化筒と、この気化ガスと燃焼ファンによって供給される燃焼一次空気とを予混合し、形成した炎孔で燃焼させるバーナと、該バーナを囲んで設けられた燃焼筒とを有し、該燃焼筒の上部には整流穴を有した整流板を設けると共に、該整流板の上部に酸化触媒を有する触媒体を設けた温風暖房装置に於いて、前記酸化触媒は整流穴と同じ大きさで整流穴の真上の位置に設けたものである。
【００１０】
又請求項２に係る温風暖房装置では、特にその構成を請求項１に於いて、前記整流板は整流穴を複数有すると共に、触媒体は前記各整流穴の真上の位置に各整流穴と同じ大きさの酸化触媒を設けたものである。
【発明の効果】
【００１１】
この発明の請求項１によれば、燃焼筒の上部に設けた整流穴を有した整流板の上部に酸化触媒を有する触媒体を設け、前記酸化触媒を整流穴と同じ大きさで整流穴の真上の位置に設けたので、燃焼筒内を上昇して整流板の整流穴を通過した燃焼ガスはそのまま整流穴の上部に位置する触媒体の酸化触媒を通過するので、燃焼中及び消火動作時の臭気低減を図ることが出来るものである。
【００１２】
また、触媒体の酸化触媒は整流板の整流穴と同じ大きさなので、整流板の整流穴を通過して上昇してきた燃焼ガスは触媒体の酸化触媒全体を均一に通過し、それにより酸化触媒全体が高温になって酸化触媒全体を活性温度域に保って良好な触媒作用を発揮することができるものである。
【００１３】
又、本発明の請求項２に記載の温風暖房装置によれば、整流板は整流穴を複数有すると共に、触媒体は前記各整流穴の真上の位置に各整流穴と同じ大きさの酸化触媒を設けたので、燃焼ガス中の窒素酸化物を抑えたり、温風温度を均一にしたり、炎が局所的に燃焼筒から噴き出さないようにするために整流板の整流穴を大きさを変えて複数設けても、各々の整流穴と同じ大きさの酸化触媒が各々の整流穴から上昇してきた燃焼ガスに対応するので、各酸化触媒が全体を活性温度域に保って良好な触媒作用を発揮することができるものである。
【図面の簡単な説明】
【００１４】
【図１】この発明の一実施形態を示す温風暖房装置の断面図
【図２】同燃焼筒の斜視図図。
【図３】従来の温風暖房装置の断面図。
【図４】同燃焼筒の斜視図図。
【発明を実施するための形態】
【００１５】
次に、本発明に係る発明の１実施形態を図面に基づいて説明する。
１は電磁ポンプ２で圧送される燃料を気化ヒータ３で気化する気化筒で、この気化ガスと燃焼ファン４によって供給される燃焼一次空気とを予混合し、上部のネットで炎孔を形成したバーナ５で燃焼させると共に、ヒートバック部６で燃焼中の気化ヒータ３の負荷を軽減しており、前記バーナ５とヒートバック部６とは本体７内を区画する上仕切板８と下仕切板９と側面板（図示せず）とで構成された送風ボックス１０内に突出して設けられている。
【００１６】
１１は下仕切板９上のバーナ５を囲んで設けられた燃焼筒で、前面中央に燃焼確認窓１２，背面下部に燃焼二次空気取り入れ口１３を有していると共に、燃焼筒１１上端の係止爪１４を介して整流穴１５を有した整流板１６が固定されている。
【００１７】
この整流板１６周縁上部の取付片１７によって整流板１６と間隙１８を有した状態で前方に傾斜して触媒体１９が取り付けられ、前記整流板１６の整流穴１５と間隙１８とによって前記バーナ５の火炎の安定化と前記第１の触媒体１９の適性温度化を行っている。
【００１８】
前記触媒体１９はカルシウムアルミネート、溶融シリカ等を押し出し形成して焼成したハニカム状フィルタに熱触媒用酸化鉄を配合した触媒液を含浸加工して形成した円盤状の酸化触媒２０と、該酸化触媒２０を略中央の触媒取付穴２１に取り付ける円盤状の触媒取付金具２２からなり、整流板１６の整流穴１５から上昇してきた燃焼ガスが触媒体１９の酸化触媒２０を通過することで、燃焼ガス中の一酸化炭素や炭化水素類を酸化させ窒素酸化物を低減すると共に、燃焼ガス中の臭い成分も同じように除去して臭気を低減するものである。
【００１９】
２３は前記送風ボックス１０の前面下部に開口され多数のルーバ２４が設けられた温風吹出口であり、２５は前記送風ボックス１０背面に開口され前記温風吹出口２３よりも上方に開口部を有する温風空気取り入れ口であって、この温風空気取り入れ口２５には薄板をパンチング加工で多孔状に形成した対流ファンガード２６を介して対流ファン２７が取り付けられている。
【００２０】
前記送風ボックス１０内で燃焼筒１１の上方には案内板２８が設けられ、上仕切板８との間に対流ファン２７からの送風を通過させて本体７の加熱を防止する冷却路２９を形成しているものである。
【００２１】
３０は前記電磁ポンプ２，気化ヒータ３，燃焼ファン４，対流ファン２７，点火器（図示せず）などを制御する燃焼制御部である。
【００２２】
次に本発明の一実施例の作動について説明する。
今燃焼中にバーナ５の燃焼で発生した火炎は、対流ファン２７からの送風の一部を燃焼二次空気取り入れ口１３から流入させた燃焼二次空気によって完全燃焼するが、この対流ファン２７の慣性力によってねじれを有した燃焼二次空気によって火炎が片寄ったり不安定にならないように整流板１６及びこの整流板１６と触媒体１９との間の間隙１８とが設計されており、この燃焼により発生した燃焼排ガスは、燃焼筒１１内を上昇して整流板１６の整流穴１５を通過し触媒体１９の酸化触媒２０にて未燃ガスと臭気が除去されて浄化脱臭される。
【００２３】
触媒体１９の酸化触媒２０は通過する燃焼排ガスで高温に加熱され、触媒体１９の上部と下部の間隙１８とを通過する対流ファン２４の送風によって酸化触媒２０全体が高温の活性温度域内に保たれて良好な触媒作用を発揮する。
【００２４】
次に図示しない消火スイッチを入れると燃焼制御部３０は消火動作に入り、まず対流ファン２７にブレーキを掛けて停止させ、遅延時間後に電磁ポンプ２及び燃焼ファン４を停止し、気化筒１内の残留ガスを燃焼し尽くす。
【００２５】
この時対流ファン２７は停止しているので、残留ガスが燃焼して未燃ガスや臭気を多く含んだ燃焼ガスが発生し、燃焼筒１１を自然上昇する燃焼ガスは触媒体１９の酸化触媒２０を通過して未燃ガスと臭気とを除去されて送風ボックス１０背面の温風空気取り入れ口２２から室内に自然放出されるので、消火時にも大幅に臭気低減できるものである。
【００２６】
そして残留ガスを燃焼し尽くした後に対流ファン２７及び燃焼ファン４は再び一定時間作動してバーナ５付近の冷却を行って消火終了となるものである。
【００２７】
従って本発明は、燃焼筒１１内を上昇して整流板１６の整流穴１５を通過した燃焼ガスはそのまま整流穴１５の上部に位置する触媒体１９の酸化触媒２０を通過するので、燃焼中及び消火動作時の臭気低減を図ることが出来るものである。
【００２８】
また、触媒体１９の酸化触媒２０は整流板１６の整流穴１５と同じ大きさなので、整流板１６の整流穴１５を通過して上昇してきた燃焼ガスは触媒体１９の酸化触媒２０全体を均一に通過し、それにより酸化触媒２０全体が高温になって酸化触媒２０全体を活性温度域に保って良好な触媒作用を発揮することができるものである。
【００２９】
尚本実施例に於いては、整流板１６の整流穴１５を１つにし、それに対応して触媒体１９の酸化触媒２０も１つにしたが、これに限らず整流板１６の整流穴１５が複数形成されているときは触媒体１９の酸化触媒２０を各整流穴１５の上部に位置するように複数設けてもよいものである。
【００３０】
それにより燃焼ガス中の窒素酸化物を抑えたり、温風温度を均一にしたり、炎が局所的に燃焼筒１１から噴き出さないようにするために整流板１６の整流穴１５を大きさを変えて複数設けても、各々の整流穴１５と同じ大きさの酸化触媒２０が各々の整流穴１５から上昇してきた燃焼ガスに対応するので、各酸化触媒２０が全体を活性温度域に保って良好な触媒作用を発揮することができるものである。
【符号の説明】
【００３１】
１  気化筒
４  燃焼ファン
５  バーナ
１１  燃焼筒
１５  整流穴
１６  整流板
１９  触媒体
２０  酸化触媒
【図１】
2013002697.tif 000003
【図２】
2013002697.tif 000004
【図３】
2013002697.tif 000005
【図４】
2013002697.tif 000006